(57)【要約】【課題】映像情報再生装置において、主コンテンツを再生し、或いは再生可能状態にすることなく、付加コンテンツを削除すること、視聴者が付加コンテンツの一部あるいは全部を選択的に削除すること、１つの主コンテンツに対する複数の付加コンテンツの一部あるいは全部を選択的に削除することを可能にする。【解決手段】読み込み手段（１１）で読み込まれた主コンテンツ及び付加コンテンツ処理・記憶手段（２１）に記憶された付加コンテンツのいずれかを選択して出力し、表示装置（２７）に表示させる選択出力手段（１２、１５，１６，１８）と、付加コンテンツ処理・記憶手段（２１）に記憶された付加コンテンツを視聴単位毎に削除するための操作画面を表示装置に表示させるための削除画像情報を生成する削除情報処理・記憶手段（２３）とを備え、削除情報処理・記憶手段（２３）は、削除を指示された視聴単位を出力させるファイルのうち、削除しても削除を指示された視聴単位以外には影響を及ぼすことのないファイルのみを選択して削除させる。【選択図】図１
2010073250.tif 000002
【特許請求の範囲】
【請求項１】
１つまたは複数の視聴単位から構成された主コンテンツを記録媒体から読み込む読み込み手段と、
前記主コンテンツと関係付けて出力されるべき付加コンテンツを、外部から読み込んで記憶する付加コンテンツ処理・記憶手段と、
前記読み込み手段で読み込まれた前記主コンテンツ及び前記付加コンテンツ処理・記憶手段に記憶された前記付加コンテンツのいずれかを選択して出力し、表示装置に表示させる選択出力手段と、
前記付加コンテンツ処理・記憶手段に記憶された前記付加コンテンツを視聴単位毎に削除するための操作画面を前記表示装置に表示させるための削除画像情報を生成する削除情報処理・記憶手段とを備え、
前記削除情報処理・記憶手段は、削除を指示された視聴単位を出力させるファイルのうち、削除しても前記削除を指示された視聴単位以外には影響を及ぼすことのないファイルのみを選択して削除させる
ことを特徴とする映像情報再生装置。
【請求項２】
前記付加コンテンツ処理・記憶手段は、前記付加コンテンツに含まれるファイルの名前を前記主コンテンツが使用しているファイルの名前に対応付ける対応付け情報を抽出し、
前記読み込み手段で読み込まれた前記主コンテンツのディレクトリ構造を表す主コンテンツ情報と、前記付加コンテンツ処理・記憶手段から出力される前記対応付け情報とを受け、前記主コンテンツと前記付加コンテンツを合成したものの仮想ディレクトリ構造を表す情報を生成して記憶し、該仮想ディレクトリ構造を表す情報に基づいて、前記選択出力手段における選択を制御するための選択制御情報を出力する選択制御手段をさらに備える
ことを特徴とする請求項１に記載の映像情報再生装置。
【請求項３】
前記削除情報処理・記憶手段が、前記主コンテンツを代表する静止画、前記主コンテンツの視聴単位を代表する静止画、及び前記付加コンテンツに含まれる前記視聴単位を代表する静止画の少なくとも一つをも記憶し、これらの静止画を前記操作画面に表示させるための情報を前記削除画像情報に含めることを特徴とする請求項１又は２に記載の映像情報再生装置。
【請求項４】
前記付加コンテンツが更新された場合、
前記付加コンテンツ処理・記憶手段は前記付加コンテンツが更新されるたびに再生に使用されなくなるファイルを類別し、
前記削除情報処理・記憶手段は、前記付加コンテンツが更新されるたびに再生に使用されなくなるファイルの類別情報をも記憶し、前記視聴単位ごとでかつ前記付加コンテンツの更新回単位で前記付加コンテンツ処理・記憶手段から削除されるファイルを選択する
ことを特徴とする請求項１乃至３のいずれかに記載の映像情報再生装置。
【請求項５】
前記付加コンテンツ処理・記憶手段と前記削除情報処理・記憶手段とを含む部分が、前記読み込み手段及び前記選択出力手段を含む再生装置本体部分から分離可能であるように構成されたことを特徴とする請求項１乃至４のいずれかに記載の映像情報再生装置。
【請求項６】
１つまたは複数の視聴単位から構成される主コンテンツを読み込む読み込みステップと、
前記主コンテンツと関係付けて出力されるべき付加コンテンツを、外部から読み込んで記憶手段に記憶させる付加コンテンツ処理・記憶ステップと、
前記読み込まれた主コンテンツ及び前記付加コンテンツのいずれかを選択して、外部の表示装置に出力させる選択出力ステップと、
前記記憶手段に記憶されている付加コンテンツを、視聴単位毎に削除するための操作画面を前記表示装置に表示させるための削除画像情報を生成し、前記操作画面を用いて削除の指示が与えられると、該削除を指示された視聴単位を出力させるファイルのうち、削除しても前記削除を指示された視聴単位以外には影響を及ぼすことのないファイルのみを選択して前記記憶手段から削除させる削除情報処理・記憶ステップと
を有するコンテンツの処理方法。
【請求項７】
前記削除情報処理・記憶ステップが、前記主コンテンツを代表する静止画、前記主コンテンツの視聴単位を代表する静止画、及び前記付加コンテンツに含まれる前記視聴単位を代表する静止画の少なくとも一つをも記憶し、これらの静止画を前記操作画面に表示させるための情報を前記削除画像情報に含めることを特徴とする請求項６に記載のコンテンツ処理方法。
【請求項８】
前記付加コンテンツが更新された場合、
前記付加コンテンツ処理・記憶ステップは、前記付加コンテンツが更新されるたびに再生に使用されなくなるファイルを類別し、
前記削除情報処理・記憶ステップは、前記付加コンテンツが更新されるたびに再生に使用されなくなるファイルの類別情報をも記憶し、前記視聴単位ごとでかつ前記付加コンテンツの更新回単位で、前記記憶手段から削除されるファイルを選択する
ことを特徴とする請求項６又は７に記載のコンテンツ処理方法。
【発明の詳細な説明】
【技術分野】
【０００１】
本発明は、映像情報再生装置及びコンテンツ処理方法に関する。
【背景技術】
【０００２】
光学ディスクに記録された主映像音声コンテンツ（以後、主コンテンツと呼ぶ）に対応した付加映像音声コンテンツ（以後、付加コンテンツと呼ぶ）がインターネットからのデータ配信や固体半導体メモリにより供給され、主コンテンツと付加コンテンツを併せて再生することにより、視聴者に最新で付加価値が向上したコンテンツを視聴させることが可能になっている。しかし、付加コンテンツを記録する媒体の大きさ（容量）には制限があるため、付加コンテンツの削除が必要になる。例えば、特許文献１には、付加コンテンツ供給者が付加コンテンツの一部あるいは全部を削除する技術が開示されている。
【０００３】
【特許文献１】特開２００７−１８１９２号公報
【発明の開示】
【発明が解決しようとする課題】
【０００４】
従来の映像情報再生装置（以後、再生装置と呼ぶ）には、主コンテンツを再生し、あるいは再生可能状態にすることなく主コンテンツに対応した付加コンテンツを削除することができず、その点で不便であった。また、削除できる付加コンテンツの範囲は付加コンテンツ供給者により決定されており、視聴者が付加コンテンツを削除することができる範囲が限定的であった。加えて、１つの主コンテンツに対して、複数の付加コンテンツが存在した場合の付加コンテンツの削除技術が存在しない問題があった。本発明は、上記のような課題を解決する再生装置を提供するものである。
【課題を解決するための手段】
【０００５】
本発明の映像情報再生装置は、
１つまたは複数の視聴単位から構成された主コンテンツを記録媒体から読み込む読み込み手段と、
前記主コンテンツと関係付けて出力されるべき付加コンテンツを、外部から読み込んで記憶する付加コンテンツ処理・記憶手段と、
前記読み込み手段で読み込まれた前記主コンテンツ及び前記付加コンテンツ処理・記憶手段に記憶された前記付加コンテンツのいずれかを選択して出力し、表示装置に表示させる選択出力手段と、
前記付加コンテンツ処理・記憶手段に記憶された前記付加コンテンツを視聴単位毎に削除するための操作画面を前記表示装置に表示させるための削除画像情報を生成する削除情報処理・記憶手段とを備え、
前記削除情報処理・記憶手段は、削除を指示された視聴単位を出力させるファイルのうち、削除しても前記削除を指示された視聴単位以外には影響を及ぼすことのないファイルのみを選択して削除させる
ことを特徴とする。
【発明の効果】
【０００６】
本発明によれば、主コンテンツを再生し、或いは再生可能状態にすることなく、付加コンテンツを削除することができる。また、視聴者が付加コンテンツの一部あるいは全部を選択的に削除することが可能となる。さらに、１つの主コンテンツに対する複数の付加コンテンツの一部あるいは全部を選択的に削除することが可能となる。
【発明を実施するための最良の形態】
【０００７】
実施の形態１．
図１は、本発明による再生装置１の構成を示すブロック図である。図示の再生装置１は、記録媒体１０に記録されたコンテンツ（主コンテンツ）を再生し、後述の付加コンテンツを加えて、再生装置１外の音声出力装置２６及び表示装置２７から出力するものである。
記録媒体１０としては、例えば光学ディスクやハードディスクなどが使用されるが、ここでは光学ディスクを例にとって説明する。
【０００８】
光学ディスク１０に記録されている主コンテンツは、読み込み手段としてのドライブ１１により読み出され、選択部１２に出力される。また、ドライブ１１は光学ディスク１０に記録されている主コンテンツ情報１１０を選択制御部２２に出力する。
【０００９】
一方、付加コンテンツは例えばインターネットからデータ配信されるものであり、以下そのような場合を例に取り説明する。付加コンテンツは付加情報入力端２０から入力され、付加コンテンツ処理・記憶部２１に供給され、付加コンテンツ処理部２１Ａで処理され、付加コンテンツ記憶部２１Ｂに書き込まれる。
【００１０】
付加コンテンツ記憶部２１Ｂに書き込まれた情報のうち、後に図１０を参照して説明するＣｈａｎｇｅ＿Ｎａｍｅ．ｆｉｌｅ２１２は選択制御部２２に出力され、後に図１０を参照して説明する削除情報２１３は削除情報処理・記憶部２３に供給される。
【００１１】
選択制御部２２は、主コンテンツ情報１１０とＣｈａｎｇｅ＿Ｎａｍｅ．ｆｉｌｅ２１２とを用いて、主コンテンツ１１１と付加コンテンツ２１１とを選択するための選択制御信号２２１を選択部１２に出力する。
選択制御部２２は、選択制御処理部２２Ａと選択制御情報記憶部２２Ｂとを有する。
選択制御部処理部２２Ａは、主コンテンツ情報１１０と、Ｃｈａｎｇｅ＿Ｎａｍｅ．ｆｉｌｅ２１２とを用いて仮想ディレクトリ構造を示す情報を生成し、これとともに、選択制御信号２２１を生成する。
選択制御情報記憶部２２Ｂは、選択制御処理部２２Ａで生成された仮想ディレクトリ構造を示す情報を記憶する。
【００１２】
選択部１２は、選択制御部２２からの選択制御信号２２１に基づいて、主コンテンツ１１１と付加コンテンツ２１１のいずれかを選択して分離部１３に出力する。
【００１３】
分離部１３は選択部１２からの出力を音声情報１３１、映像情報１３２、およびグラフィック情報１３３に分離する。音声情報１３１は音声出力部１４へ、映像情報１３２は映像出力部１５へ、グラフィック情報１３３はグラフィック出力部１６へそれぞれ出力される。
【００１４】
音声出力部１４は音声情報１３１を音声出力装置２６の駆動に適した信号に変換して、音声信号出力端１７から再生装置１外の音声出力装置２６に出力する。
【００１５】
映像出力部１５は映像情報１３２を表示装置２７の駆動に適した信号に変換して、重畳部１８に出力する。グラフィック出力部１６はクラフィック情報１３３を表示装置２７の駆動に適した信号に変換して重畳部１８に出力する。重畳部１８は映像出力部１５からの映像信号とグラフィック出力部１６からのグラフィック信号を重畳して、表示信号出力端１９から再生装置１外の表示装置２７に出力する。
【００１６】
映像出力部１５とグラフィック出力部１６と重畳部１８とで、選択部１２で選択され分離部１３で分離されたコンテンツの映像情報及びグラフィック情報の少なくとも一方を、表示装置２７に表示させる出力手段が構成されており、この出力手段は、選択部１２と該出力手段とを含む選択出力手段の一部を成す。
【００１７】
削除情報処理・記憶部２３は、視聴者（ユーザ）からの付加コンテンツの削除要求２３３を表す信号を削除制御入力端２４から受け、視聴者が削除操作をするために使用する操作画面を表す（表示装置２７に表示させるための）画面情報２３１をグラフィック出力部１６に出力する。視聴者からの付加コンテンツの一部あるいは全部を選択して、削除することを決定したことを示す信号も削除制御入力端２４から入力され、削除情報処理・記憶部２３を経て付加コンテンツ処理・記憶部２１へ供給される。
【００１８】
なお、光学ディスク１０、ドライブ１１、選択部１２、分離部１３、音声出力部１４、映像出力部１５、グラフィック出力部１６、重畳部１８、付加コンテンツ処理・記憶部２１、選択制御部２２、及び削除情報処理・記憶部２３のそれぞれを制御するために再生機器１は１個あるいは複数のマイクロコンピュータやマイクロプロッセッサーユニットなどの制御素子を用いているが、図１ではその記載を省略する。
【００１９】
主コンテンツ１１１は、１つまたは複数の「タイトル」とよばれる視聴単位で構成される。１つのタイトルは、１つまたは複数の再生単位を再生することにより視聴することができる。１つの再生単位から、１つまたは複数の映像音声のストリームファイルが再生される。
１つのストリームファイル毎に、光学ディスク１０における位置（ストリームの開始位置及び終了位置）あるいは位置に相当する情報を有するファイルを情報ファイルと呼ぶ。
再生単位において、使用する情報ファイルの名前や情報ファイル間の再生の仕方や再生されるストリームの構造を記述したファイルを再生ファイルと呼ぶ。また、
タイトル内における再生単位の再生手順をプログラムで記述したファイルがＯｐｅｒａｔｉｏｎ．ｆｉｌｅであり、タイトルとＯｐｅｒａｔｉｏｎ．ｆｉｌｅの中の当該タイトルに対応する再生手順プログラムを記憶したプログラム領域を記述したファイルがＴｉｔｌｅ＿ｌｉｓｔ．ｆｉｌｅである。
【００２０】
以下、主コンテンツの一例につき詳しく説明する。
主コンテンツは、例えば、「タイトル０」、「タイトル１」、「タイトル２」、「タイトル３」、「タイトル４」、「タイトル５」、「タイトル６」から構成されている。
タイトル０の再生手順プログラム名を「Ｏｐｅ＿０」、タイトル１の再生手順プログラム名を「Ｏｐｅ＿１」、タイトル２の再生手順プログラム名を「Ｏｐｅ＿２」、タイトル３の再生手順プログラム名を「Ｏｐｅ＿３」、タイトル４の再生手順プログラム名を「Ｏｐｅ＿４」、タイトル５の再生手順プログラム名を「Ｏｐｅ＿５」、タイトル６の再生手順プログラム名を「Ｏｐｅ＿６」とする。
【００２１】
各タイトルの役割と各タイトルで再生される再生ファイルは、例えば図２に示す如くである。コンテンツの進行（再生手順）は、例えば、図３に示す如くである。このとき、Ｔｉｔｌｅ．ｆｉｌｅは図４に示すように記載される。図４において、「ｌｅｎｇｔｈ＿Ｔｉｔｌｅ．ｆｉｌｅ」は、Ｔｉｔｌｅ．ｆｉｌｅの大きさをビット（ｂｉｔ）単位で表す。
【００２２】
Ｏｐｅｒａｔｉｏｎ．ｆｉｌｅは図５に示すように記載される。
図５において、「ｌｅｎｇｔｈ＿Ｏｐｅｒａｔｉｏｎ．ｆｉｌｅ」はＯｐｅｒａｔｉｏｎ．ｆｉｌｅの大きさを表記し、「Ｐｌａｙ＿＃＃＃」は、＃＃＃を再生するコマンドであり、「Ｊｕｍｐ＿＃＃＃」は、＃＃＃へ以降するコマンドであり、「ｉｆ」、「ｅｌｓｅ  ｉｆ」、「ｅｌｓｅ」は条件分岐のコマンドであり、「Ｅｎｄ  Ｏｐｅ」は再生手順プログラムのセパレータである。
【００２３】
「１．ｆｉｌｅ」の例を図６に示す。図６において、「ｌｅｎｇｔｈ＿１．ｆｉｌｅ」は、１．ｆｉｌｅの大きさを表す。「００１．ｉｎｆｏ」は情報ファイルであり、ストリームの光ディスク上の位置（開始位置及び終了位置）を表す。
【００２４】
「００１．ｆｉｌｅ」の例を図７に示す。図７において、「ｌｅｎｇｔｈ＿００１．ｆｉｌｅ」は、００１．ｆｉｌｅの大きさを表す。なお、０００．ｐｄ（ストリームファイル）の先頭にも、０００．ｐｄの大きさを表す情報が存在する。
【００２５】
以下の説明では、説明の簡単化のために、図８に示すように、光学ディスク１０上の主コンテンツ１１１はタイトル０、タイトル１およびタイトル２で構成され、タイトル０の再生ファイルは０．ｆｉｌｅのみ、タイトル１の再生ファイルは１．ｆｉｌｅのみ、タイトル２の再生ファイルは２．ｆｉｌｅのみとする。
【００２６】
図８において、Ｏｐｅｒａｔｉｏｎ．ｆｉｌｅは、タイトル内における再生単位の再生手順をプログラムで記述したファイルである。Ｔｉｔｌｅ．ｌｉｓｔ．ｆｉｌｅは、タイトルとＯｐｅｒａｔｉｏｎ．ｆｉｌｅの中の当該タイトルに対応する再生手順プログラムを記憶したプログラム領域を記述したファイルである。
【００２７】
再生ファイル０．ｆｉｌｅには情報ファイル０００．ｉｎｆｏのみ存在し、情報ファイル０００．ｉｎｆｏによって再生されるストリームファイルは０００．ｐｄとする。再生ファイル１．ｆｉｌｅには情報ファイル００１．ｉｎｆｏ及び００２．ｉｎｆｏが存在し、情報ファイル００１．ｉｎｆｏによって再生されるストリームファイルは００１．ｐｄ、情報ファイル００２．ｉｎｆｏによって再生されるストリームファイルは００２．ｐｄとする。再生ファイル２．ｆｉｌｅには情報ファイル００３．ｉｎｆｏのみ存在し、情報ファイル００３．ｉｎｆｏによって再生されるストリームファイルは００３．ｐｄとする。また、主コンテンツ１１１の代表静止画データファイルを００．ｐｉｃｔｕｒｅ、タイトル１の代表静止画データファイルを０１．ｐｉｃｔｕｒｅとし、タイトル０及びタイトル２には代表静止画データファイルが存在しないとする。
【００２８】
図１のドライブ１１は、光学ディスク１０に記録されているデータを読み出して、図８の階層毎に、図９に示すようなディレクトリ構造を作成する。図９において、Ｔｉｔｌｅ＿ｌｉｓｔ．ｆｉｌｅ及びＯｐｅｒａｔｉｏｎ．ｆｉｌｅはディレクトリが存在せず直接主コンテンツ１１１の直下に置かれ、再生ファイル（０．ｆｉｌｅ、１．ｆｉｌｅ、２．ｆｉｌｅ）はＴｉｔｌｅと呼ばれるディレクトリ１１２に、情報ファイル（０００．ｉｎｆｏ、００１．ｉｎｆｏ、００２．ｉｎｆｏ、００３．ｉｎｆｏ）はＰｌａｙｂａｃｋ＿Ｉｎｆｏｒｍａｔｉｏｎと呼ばれるディレクトリ１１３に、ストリームファイル（０００．ｐｄ、００１．ｐｄ、００２．ｐｄ、００３．ｐｄ）はＳｔｒｅａｍと呼ばれるディレクトリ１１４に、代表静止画データファイル（００．ｐｉｃｔｕｒｅ、０１．ｐｉｃｔｕｒｅ）はＥｘｔｅｎｔｉｏｎと呼ばれるディレクトリ１１５に類別されて管理される。また、コンテンツ供給者名や主コンテンツ１１１の名前などもＥｘｔｅｎｔｉｏｎ１１５で管理される。
【００２９】
そして、図１に記載のドライブ１１の出力の１つである主コンテンツ情報１１０は、コンテンツ供給者名、主コンテンツ１１１の名前および主コンテンツ１１１に含まれるファイルの名前を示す情報を含み、図９の主コンテンツ１１１のディレクトリ構造を示すものである。
【００３０】
一方、図１の付加情報入力端２０から入力され付加コンテンツ処理・記憶部２１に供給される付加コンテンツ２１１は、図１０に示すように、Ｃｈａｎｇｅ＿Ｎａｍｅ．ｆｉｌｅ２１２と、主コンテンツ１１１のＴｉｔｌｅ＿ｌｉｓｔ．ｆｉｌｅに相当するファイルＡＴ．ｆｉｌｅ２１４と、主コンテンツ１１１のＯｐｅｒａｔｉｏｎファイルに相当するファイルＡＯ．ｆｉｌｅ２１５と、主コンテンツ１１１の再生ファイル、情報ファイル、ストリームファイル、代表静止画データファイルに相当するファイルＡａ．ｆｉｌｅ〜Ａｋ．ｆｉｌｅとから構成されている。すなわち、ファイルＡＯ．ｆｉｌｅ２１５は、タイトル内における再生単位の再生手順をプログラムで記述したファイルであり、ＡＴ．ｆｉｌｅ２１４は、タイトルとファイルＡ０．ｆｉｌｅの中の当該タイトルに対応する再生手順プログラムを記憶したプログラム領域を記述したファイルである。
【００３１】
図１の付加コンテンツ処理・記憶部２１は、コンテンツ供給者名と主コンテンツ１１１の名前に基づいて図１１に示すようなディレクトリ構造を作成する。図１１において、Ｓｕｐｐｌｉｅｒ−ＩやＳｕｐｐｌｉｅｒ−ＩＩはコンテンツ供給者名を、また、Ｄｉｓｃ−１やＤｉｓｃ−２およびＤｉｓｃ−３は主コンテンツの名前を模式的に表したものである。Ｃｈａｎｇｅ＿Ｎａｍｅ．ｆｉｌｅ２１２は、付加コンテンツ２１１中のファイルの名前を主コンテンツ１１１が使用しているファイルの名前に対応させるファイルであり、対応付け情報とも呼ばれる。本実施の形態では、Ｃｈａｎｇｅ＿Ｎａｍｅ．ｆｉｌｅ２１２には図１２に符号６１で示すようなファイル名の対応関係が記述されているとする。
【００３２】
また、ＡＴ．ｆｉｌｅ２１４には主コンテンツ１１１に存在するタイトルか、或いは付加コンテンツ２１１のみに存在するタイトルかを識別する情報がタイトル毎に付けられている。なお、図１２の対応関係を示す枠６１内の右側の部分に付加コンテンツ２１１におけるファイルの名前が記載されている。
【００３３】
図１の選択制御部２２の選択制御処理部２２Ａは、先ずＣｈａｎｇｅ＿Ｎａｍｅ．ｆｉｌｅ２１２の記載に基づいて付加コンテンツ２１１のファイルを主コンテンツ１１１のディレクトリ構造と同じディレクトリ構造（図１２の６２）に構成する。この処理が図１２には符号ＭＰ１で示されている。この結果新しく生成されたディレクトリ構造６２を仮想ディレクトリ構造と呼ぶこととする。但し、この段階では、付加コンテンツ２１１から得られたファイルのみで構成されており、言わば「未完の」乃至「作成途中の」仮想ディレクトリ構造というべきものである。
次に、（未完の）仮想ディレクトリ構造６２にすでに入っているファイル名と同名の主コンテンツ１１１のファイルは仮想ディレクトリ構造６２に入れず（図１２中の符号ＭＰ２で示す処理。「×」印は、主コンテンツ１１１のファイルを仮想ディレクトリ構造６２には入れないことを示す）、仮想ディレクトリ構造６２に名前が存在しない主コンテンツ１１１のファイルを仮想ディレクトリ構造６２に入れる（図１２に符号ＭＰ３で示される処理）。
【００３４】
最後に、ＡＴ．ｆｉｌｅ２１４を仮想ディレクトリ構造６２のＴｉｔｌｅ．ｆｉｌｅに、ＡＯ．ｆｉｌｅ２１５を仮想ディレクトリ構造６２のＯｐｅｒａｔｉｏｎ．ｆｉｌｅにする。これにより、仮想ディレクトリ構造６２が完成する。この完成した仮想ディレクトリ構造６２は、主コンテンツ１１１と付加コンテンツ２１１を合成した結果得られる仮想的合成コンテンツに対応するものであり、主コンテンツ１１１を付加コンテンツ２１１とともに、選択しながら、再生するために必要なものである。
仮想ディレクトリ構造６２はこのように作成されるため、仮想ディレクトリ構造６２に含まれるファイルの各々が主コンテンツ１１１由来のファイルであるか付加コンテンツ２１１由来のファイルであるかは判明しており、そのようなことを示す情報が付加されている。この情報（各ファイルが主コンテンツ１１１由来のものか、付加コンテンツ２１１由来のものかを示す情報）を選択制御信号２２１として選択部１２に供給し、選択部１２では、この情報に基づいて選択動作を実行する。
【００３５】
なお、すべてのファイルが、ファイルの長さを表すｌｅｎｇｔｈと呼ばれる情報を、例えばファイルの先頭に有する。
【００３６】
以下、主コンテンツを再生状態にすることなく付加コンテンツを削除する処理とについて説明する。以下の説明から明らかになるようんじ、この削除処理においては、削除する付加コンテンツの範囲を視聴者が決定することができる。
【００３７】
図１の付加コンテンツ処理・記憶部２１の付加コンテンツ処理部２１Ａは、ＡＴ．ｆｉｌｅ２１４とＡＯ．ｆｉｌｅ２１５を解析して、タイトルと情報ファイル、ストリームファイルおよび代表静止画データファイルとの関係情報と、タイトル毎の情報ファイル、ストリームファイルおよび代表静止画データファイルの大きさ（容量）の合計値とを、削除情報２１３として削除情報処理・記憶部２３に供給する。削除情報処理・記憶部２３では、削除情報処理部２３Ａが、上記の、付加コンテンツ処理・記憶部２１から供給された情報を、削除情報記憶部２３Ｂに書き込む。
【００３８】
削除情報記憶部２３Ｂに書き込まれた削除情報２１３を模式的に表したものが図１３である。図１３では、タイトル０は、付加コンテンツのＡａ．ｆｉｌｅ（ファイルの大きさがＳＡａ）とＡｃ．ｆｉｌｅ（ファイルの大きさがＳＡｃ）とＡｇ．ｆｉｌｅ（ファイルの大きさがＳＡｇ）とを再生したものであり、合わせたファイルの大きさがＳＳ１（＝ＳＡａ＋ＳＡｃ＋ＳＡｇ）であることを示している。同様に、タイトル１は、付加コンテンツのＡｋ．ｆｉｌｅ（ファイルの大きさがＳＡｋ）とＡｄ．ｆｉｌｅ（ファイルの大きさがＳＡｄ）とＡｈ．ｆｉｌｅ（ファイルの大きさがＳＡｈ）とを再生したものであり、合わせたファイルの大きさがＳＳ２（＝ＳＡｋ＋ＳＡｄ＋ＳＡｈ）であることを示している。同様に、タイトル３は付加コンテンツのＡｂ．ｆｉｌｅ（ファイルの大きさがＳＡｂ）とＡｅ．ｆｉｌｅ（ファイルの大きさがＳＡｅ）とＡｆ．ｆｉｌｅ（ファイルの大きさがＳＡｆ）とＡｉ．ｆｉｌｅ（ファイルの大きさがＳＡｉ）とＡｊ．ｆｉｌｅ（ファイルの大きさがＳＡｊ）とを再生したものであり、合わせたファイルの大きさがＳＳ３（＝ＳＡｂ＋ＳＡｅ＋ＳＡｆ＋ＳＡｉ＋ＳＡｊ）であることを示している。
【００３９】
タイトル２に関係する付加コンテンツのファイルは存在しないため、削除されるファイルも存在せず、従って削除されるファイルの大きさは０（零）であることを示している。
【００４０】
図１の削除情報記憶部２３Ｂには、複数のコンテンツ供給者による複数の光学ディスクに対する削除情報が書き込まれている。
図１の削除制御入力端２４から削除要求が入力されると、削除情報処理・記憶部２３では、図１４に示すような、コンテンツ供給者、光学ディスクの名称、タイトル名および各タイトルを削除した場合のファイルの大きさをまとめた操作画面を表す画像情報２３１を作成し、図１のグラフィック出力部１６に出力する。図１４に示される操作画面は、視聴者が削除操作を行なう場合に用いるものである。
【００４１】
グラフィック出力部１６では画像情報２３１を表示装置２７の駆動に適した信号に変換して重畳部１８を経て表示信号出力端１９を介して再生装置１外の表示装置２７に出力する。
【００４２】
削除情報処理・記憶部２３が作成する画像情報２３１には、図１４に示すように、コンテンツ供給者、光学ディスクの名称、タイトル名、及び削除できるファイルの大きさを示す情報、並びに光学ディスク及びタイトル毎に設けられた選択ボタンＢＳ、及び削除実行ボタンＢＤを表示する情報が含まれる。選択ボタンＢＤは、それぞれ対応する項目（光学ディスク、タイトル）を選択するために操作される。削除実行ボタンＢＤは、選択ボタンＢＳで選択した項目に関連した付加コンテンツ内のファイルの削除を実行する際に操作される。
【００４３】
最初に、付加コンテンツ２１１中の削除されるタイトルが主コンテンツ１１１に存在しない場合について、タイトル３の削除を例にとり説明する。視聴者は、図１の削除制御入力端２４を介して図１４に示される操作画面上のタイトル３の横の選択ボタンＢＳを選択し、削除実行ボタンＢＤを押す。削除実行ボタンＢＤが押されたら、図１の削除処理・記憶部２３は、削除するタイトルがタイトル３であることを示す情報を得るとともに、図１３に示される情報に基づいて、削除するファイルがＡｂ．ｆｉｌｅ、Ａｅ．ｆｉｌｅ、Ａｆ．ｆｉｌｅ、Ａｉ．ｆｉｌｅおよびＡｊ．ｆｉｌｅであることを示す情報を得て、これらの情報を、図１の削除実行情報２３２として付加コンテンツ処理・記憶部２１に出力する。
【００４４】
削除実行情報２３２が入力された付加コンテンツ処理・記憶部２１は、ＡＴ．ｆｉｌｅ２１４を解析してタイトル３は主コンテンツ１１１に存在しないタイトルであることを判断し、先ず、Ａｂ．ｆｉｌｅ、Ａｅ．ｆｉｌｅ、Ａｆ．ｆｉｌｅ、Ａｉ．ｆｉｌｅおよびＡｊ．ｆｉｌｅを付加コンテンツ２１１から削除し、Ｃｈａｎｇｅ＿Ｎａｍｅ．ｆｉｌｅ２１２中のＡｂ．ｆｉｌｅ、Ａｅ．ｆｉｌｅ、Ａｆ．ｆｉｌｅ、Ａｉ．ｆｉｌｅおよびＡｊ．ｆｉｌｅに関する記述を削除し、次に、ＡＯ．ｆｉｌｅ２１５中のタイトル３の再生手順プログラムの部分を削除し、最後に、ＡＴ．ｆｉｌｅ２１４中からタイトル３に関する情報を削除する。
【００４５】
付加コンテンツ処理・記憶部２１はさらに、変更された付加コンテンツ２１１に対して新たに削除情報２１３を生成し、削除情報処理・記憶部２３に出力する。これにより、タイトル３に関する付加コンテンツの削除が完了する。
【００４６】
削除完了後に光学ディスク１０を再生する場合、先ず、変更された付加コンテンツ２１１中の変更されたＡＴ．ｆｉｌｅ２１４及び変更されたＡＯ．ｆｉｌｅ２１５を解析し、ＡＴ．ｆｉｌｅ２１４に記述されている全タイトルに対応する再生手順プログラム領域が変更されたＡＯ．ｆｉｌｅ２１５に存在することを確認する。この確認ができた場合、付加コンテンツ２１１中のＡＴ．ｆｉｌｅ２１４とＡＯ．ｆｉｌｅ２１５とをＣｈａｎｇｅ＿Ｎａｍｅ．ｆｉｌｅ２１２に基づいてそれぞれＴｉｔｌｅ＿ｌｉｓｔ．ｆｉｌｅおよびＯｐｅｒａｔｉｏｎ．ｆｉｌｅとして仮想ディレクトリ構造６２に入れる。
変更された付加コンテンツ２１１中の他のファイルも、仮想ディレクトリ構造６２の作成動作に関し上記したのと同様に、仮想ディレクトリ構造６２に入れられる。
【００４７】
次に、付加コンテンツ２１１中の削除されるタイトルが主コンテンツ１１１に存在する場合について、タイトル１の削除を例にとり説明する。視聴者は、図１の削除制御入力端２４を介して図１４に示される操作画面上のタイトル１の横の選択ボタンＢＳを選択し、削除実行ボタンＢＤを押す。削除実行ボタンＢＤが押されたら、図１の削除処理・記憶部２３は、削除するタイトルがタイトル１であることを示す情報を得るとともに、図１３に示される情報に基づいて、削除するファイルがＡｄ．ｆｉｌｅ、Ａｈ．ｆｉｌｅおよびＡｋ．ｆｉｌｅであることを示す情報を得て、これらの情報を、図１の削除実行情報２３２として付加コンテンツ処理・記憶部２１に出力する。
【００４８】
削除実行情報２３２が入力された付加コンテンツ処理・記憶部２１は、ＡＴ．ｆｉｌｅ２１４を解析してタイトル１は主コンテンツ１１１に存在するタイトルであることを判断し、先ず、Ａｄ．ｆｉｌｅとＡｈ．ｆｉｌｅおよびＡｋ．ｆｉｌｅを付加コンテンツ２１１から削除し、Ｃｈａｎｇｅ＿Ｎａｍｅ．ｆｉｌｅ２１２中のＡｄ．ｆｉｌｅとＡｈ．ｆｉｌｅおよびＡｋ．ｆｉｌｅに関する記述を削除し、次に、ＡＯ．ｆｉｌｅ２１５中のタイトル１の再生手順プログラムの部分を削除する。ＡＴ．ｆｉｌｅ２１４に関しては処理を行わない。
【００４９】
付加コンテンツ処理・記憶部２１はさらに、変更された付加コンテンツ２１１に対して新たに削除情報２１３を生成し、削除情報処理・記憶部２３に出力する。これにより、タイトル１に関する付加コンテンツの削除が完了する。
【００５０】
削除完了後に光学ディスク１０を再生する場合、先ず、変更された付加コンテンツ２１１中の変更されたＡＴ．ｆｉｌｅ２１４及び変更されたＡＯ．ｆｉｌｅ２１５とを解析し、ＡＴ．ｆｉｌｅ２１４が要求する、タイトル１に対応する再生手順プログラム領域が、変更されたＡＯ．ｆｉｌｅ２１５に存在しないことを検出する。次に、主コンテンツ１１１中のＴｉｔｌｅ＿ｌｉｓｔ．ｆｉｌｅを参照して（Ｔｉｔｌｅ＿ｌｉｓｔ＿ｆｉｌｅに記載された領域をアクセスすることで）主コンテンツ１１１中のＯｐｅｒａｔｉｏｎ．ｆｉｌｅのタイトル１に対応する再生手順プログラムを抽出し、変更された付加コンテンツ２１１中のＡＯ．ｆｉｌｅ２１５にコピーする。
そして、付加コンテンツ２１１中のＣｈａｎｇｅ＿Ｎａｍｅ．ｆｉｌｅ２１２に基づいてＡＴ．ｆｉｌｅ２１４をＴｉｔｌｅ．ｆｉｌｅとして、またタイトル１に対する再生手順プログラムがコピーされたＡＯ．ｆｉｌｅ２１５を、Ｃｈａｎｇｅ＿Ｎａｍｅ．ｆｉｌｅ２１２に基づいてＯｐｅｒａｔｉｏｎ．ｆｉｌｅとして仮想ディレクトリ構造６２に入れる。
変更された付加コンテンツ２１１中の他のファイルも、仮想ディレクトリ構造６２の作成動作に関し上記したのと同様に、仮想ディレクトリ構造６２に入れられる。
【００５１】
付加コンテンツ２１１中の削除される複数のタイトルが、主コンテンツ１１１中に存在するタイトルと主コンテンツ１１１中に存在しないタイトルとが混在する場合には、前述の付加コンテンツ２１１中の削除されるタイトルが主コンテンツ１１１中に存在する場合の動作と、付加コンテンツ２１１中の削除されるタイトルが主コンテンツ１１１中に存在しない場合の動作とが順次実施される。
【００５２】
また、図１４においてＤｉｓｃ−１の全タイトルの選択ボタンＢＳが選択されて削除実行ボタンＢＤが押された場合、あるいは、Ｄｉｓｃ−１の横の選択ボタンＢＳが選択されて削除実行ボタンＢＤが押された場合には、付加コンテンツ記憶部２１Ｂに書き込まれている付加コンテンツのうち、図１１に示すＳｕｐｐｌｉｅｒ−Ｉのディレクトリ下のＤｉｓｃ−１に含まれるすべてのファイルを削除し、Ｄｉｓｃ−１のディレクトリが削除される。
【００５３】
図１４において、Ｓｕｐｐｌｉｅｒ−Ｉに属するすべての主コンテンツ、即ちＤｉｓｃ−１、Ｄｉｓｃ−２およびＤｉｓｃ−３の横の選択ボタンＢＳがすべて選択されて削除実行ボタンＢＤが押された場合、あるいは、Ｓｕｐｐｌｉｅｒ−Ｉの横の選択ボタンＢＳが選択されて削除実行ボタンＢＤが押された場合には、付加コンテンツ記憶部２１Ｂに書き込まれている付加コンテンツのうち、図１１に示すＳｕｐｐｌｉｅｒ−Ｉに含まれる全てのファイルとディレクトリが削除される。
【００５４】
本発明の実施の形態１は上記のように構成され動作するので、主コンテンツを再生し、あるいは再生可能状態にすることなく、図１の画像情報２３１を使用することで、付加コンテンツ２１１のファイルを削除することが可能になる。加えて、画像情報２３１に基づく操作画面の使用により、削除したい範囲を選択して削除することが可能になる。更に、画像情報２３１による操作画面により、付加コンテンツ２１１の一部あるいは全部を削除した場合の情報の大きさを表示することができる。このため、新たに別の付加コンテンツを付加コンテンツ記憶部２１Ｂに書き込もうとして付加コンテンツ記憶部２１Ｂの記憶できる情報の大きさが不足する場合に、削除する付加コンテンツの範囲を選択して削除することが可能となる。
【００５５】
実施の形態２．
上記の実施の形態１では、図１の削除情報２１３は、タイトルと情報ファイル、ストリームファイルおよび代表静止画データファイルの関係情報と、タイトル毎の情報ファイル、ストリームファイルおよび代表静止画データファイルの大きさの合わせた値とした。実施の形態２では、上記実施の形態１での削除情報２１３に代表静止画データファイル自体を加え、代表静止画を削除のための操作画面に表示するようにしたものとする。実施の形態２では図１の削除情報処理・記憶部２３からグラフィック出力部１６へ出力される画像情報２３１は、図１５のように画素が間引かれた（縮小された）代表静止画データファイルによる画像ＰＴ１、ＰＴ２を対応する箇所に子画面として表示することができる。上記以外の構成や動作に関しては、実施の形態１と同じである。
【００５６】
本発明の実施の形態２は上記のように構成され動作するので、削除する付加コンテンツのタイトルあるいは削除対象の認識が容易或いは確実となり、そのため誤削除を防止する効果が期待できる。
【００５７】
実施の形態３．
次に、１つの主コンテンツに対して付加コンテンツが更新される場合を説明する。即ち、同じ主コンテンツとともに出力されるべき付加コンテンツを、付加情報入力端２０から取り込んだ後、付加コンテンツの更新版が、外部で提供される場合がある。この更新版を付加情報入力端２０から取り込むと、再生装置の内部で付加コンテンツの更新が行なわれる。
【００５８】
以下、説明の簡単化のために、図１６に示すように、主コンテンツ１１１はタイトル０と呼ばれる１つのタイトルで構成されており、タイトル０は１つの再生ファイル０．ｆｉｌｅからなり、再生ファイル０．ｆｉｌｅは２つの情報ファイル０００．ｉｎｆｏ及び００１．ｉｎｆｏを実行することにより再生され、情報ファイル０００．ｉｎｆｏのストリームファイルが０００．ｐｄ、また、情報ファイル００１．ｉｎｆｏのストリームファイルが００１．ｐｄであるとする。
【００５９】
主コンテンツ１１１に対する１回目の付加コンテンツ（再生装置に最初に取り込んだもの）が図１７に符号２１１−ａで示すごときものであり、Ｃｈａｎｇｅ＿Ｎａｍｅ．ｆｉｌｅ２１２−ａとＡＴ．ｆｉｌｅ、ＡＯ．ｆｉｌｅ、Ａａ．ｆｉｌｅ〜Ａｅ．ｆｉｌｅから成り、Ｃｈａｎｇｅ＿Ｎａｍｅ．ｆｉｌｅ２１２−ａによる付加コンテンツ２１１−ａと主コンテンツ１１１とのファイル名の対応関係が図１７の右側に記載するとおりとする。記述のしかたは、図１２の対応関係６１に準じる。
【００６０】
また、主コンテンツ１１１に対する２回目の付加コンテンツ（２回目に取り込んだもの）が図１８に示すごとくであり、Ｃｈａｎｇｅ＿Ｎａｍｅ．ｆｉｌｅ２１２−ｂとＢＴ．ｆｉｌｅ、ＢＯ．ｆｉｌｅ、Ｂａ．ｆｉｌｅ〜Ｂｅ．ｆｉｌｅから成り、Ｃｈａｎｇｅ＿Ｎａｍｅ．ｆｉｌｅ２１２−ｂによる付加コンテンツ２１１−ｂと主コンテンツ１１１とのファイル名の対応関係が図１８の右側に記載するとおりとする。
【００６１】
２回目の付加コンテンツが取り込まれると、付加コンテンツ処理・記憶部２１は、付加コンテンツの更新を行なう。この更新により、１回目の付加コンテンツ２１１−ａのＣｈａｎｇｅ＿Ｎａｍｅ．ｆｉｌｅ２１２−ａとＡＴ．ｆｉｌｅ、ＡＯ．ｆｉｌｅ、Ａａ．ｆｉｌｅ、Ａｃ．ｆｉｌｅおよびＡｅ．ｆｉｌｅが使用されなくなり、２回目の付加コンテンツ２１１−ｂのＣｈａｎｇｅ＿Ｎａｍｅ．ｆｉｌｅ２１２−ｂとＢＴ．ｆｉｌｅおよびＢＯ．ｆｉｌｅに基づいて仮想ディレクトリ構造が構築されてコンテンツが再生される。
【００６２】
２回目の付加コンテンツ２１１−ｂによる更新が行なわれた時点で、使用されなくなるＣｈａｎｇｅ＿Ｎａｍｅ．ｆｉｌｅ２１２−ａとＡＴ．ｆｉｌｅ、ＡＯ．ｆｉｌｅ、Ａａ．ｆｉｌｅ、Ａｃ．ｆｉｌｅおよびＡｅ．ｆｉｌｅを図１の付加コンテンツ処理・記憶部２１から削除する手法もある。しかし、このように再生装置１を構成した場合、付加コンテンツ２１１−ｂによる更新を行なった結果に視聴者が満足せず付加コンテンツ２１１−ａに戻すことを望んだ場合には、復旧させることができないという課題がある。本実施の形態３では、新たな付加コンテンツによる更新以前の状態において再生可能であったコンテンツの復元を可能にする再生装置１を得ることを目的とする。
【００６３】
２回目の付加コンテンツ２１１−ｂが図１の付加情報入力端２０から付加コンテンツ処理・記憶部２１に入力された時、付加コンテンツ処理・記憶部２１は１回目の付加コンテンツ２１１−ａのＣｈａｎｇｅ＿Ｎａｍｅ．ｆｉｌｅ２１２−ａと２回目の付加コンテンツ２１１−ｂのＣｈａｎｇｅ＿Ｎａｍｅ．ｆｉｌｅ２１２−ｂとを比較して、２回目の付加コンテンツ２１１−ｂに更新された時点で使用されなくなるファイル（Ｃｈａｎｇｅ＿Ｎａｍｅ．ｆｉｌｅ２１２−ａ、ＡＴ．ｆｉｌｅ、ＡＯ．ｆｉｌｅ、Ａａ．ｆｉｌｅ、ＡＯ．ｆｉｌｅ、Ａａ．ｆｉｌｅ、Ａｃ．ｆｉｌｅ、Ａｅ．ｆｉｌｅ）を検出し、さらに、使用されなくなるファイルの大きさの合計（例えばＳＳａとする）を計算し、削除情報２１３−ａ（図１の削除情報２１３に相当するもの）として削除情報処理・記憶部２３に出力する。
また、付加コンテンツ処理・記憶部２１は、２回目の付加コンテンツ２１１−ｂに対して実施の形態１において付加コンテンツに対して行ったのと同様の動作を実行して削除情報２１３−ｂ（図１の削除情報２１３に対応するもの）として削除情報処理・記憶部２３に出力する。この時、２回目の付加コンテンツ２１１−ｂのファイルの大きさの合計を例えばＳＳｂとする。
【００６４】
次に、削除情報処理・記憶部２３では、Ｄｉｓｃ−１の下に別フォルダ（図１９ではＯｌｄ＿Ｄａｔａ＿ｄｉｒｅｃｔｒｙと呼ばれるフォルダ）を設け、そのフォルダに、２回目の付加コンテンツ２１１−ｂに更新された時点で使用されなくなるファイルを移動する。残された１回目の付加コンテンツ２１１−ａのファイル（Ａｂ．ｆｉｌｅとＡｄ．ｆｉｌｅ）と２回目の付加コンテンツ２１１−ｂのファイルを実施の形態１について上記したのと同様にＤｉｓｃ−１の下に構成して、仮想ディレクトリ構造を構築して付加コンテンツの再生を行う。
【００６５】
このように、本実施の形態では、更新により再生に使用されなくなるファイルを、更新後に使用されるファイルから類別するものの、直ちには削除せず、保存しておく。
【００６６】
削除情報２１３−ａと削除情報２１３−ｂが入力された削除情報処理・記憶部２３では、図２０に示すように、削除情報２１３−ａに関するファイルを削除するための選択ボタンＢＳと削除情報２１３−ｂに関するファイルを削除するための選択ボタンＢＳをタイトル０の中に設置した操作画面を表示するための画像情報２３１を作成する。
【００６７】
視聴者が２回目の付加コンテンツ２１１−ｂで満足し１回目の付加コンテンツ２１１−ａでの再生を不要とした場合には、図２０に示される操作画面の「１回目付加」の選択ボタンＢＳを押し削除実行ボタンＢＤを押すことにより、図１の削除情報処理・記憶部２３は削除情報２１３−ａの情報を削除実行情報２３２−ａ（図１の削除実行情報２３２に相当するもの）として付加コンテンツ処理・記憶部２１に出力し、付加コンテンツ処理・記憶部２１のＯｌｄ＿Ｄａｔａ＿ｄｉｒｅｃｔｒｙ内の全ファイルを削除し、Ｏｌｄ＿Ｄａｔａ＿ｄｉｒｅｃｔｒｙも削除する。
【００６８】
一方、視聴者が２回目の付加コンテンツ２１１−ｂに満足せず１回目の付加コンテンツ２１１−ａでの再生を望んだ場合には、図２０に示される操作画面の「２回目付加」の選択ボタンＢＳを押し削除実行ボタンＢＤを押すことにより、図１の削除情報処理・記憶部２３は、削除実行情報２１３として、削除情報２１３−ｂの情報（２回目付加コンテンツの削除を指示する）情報（２１３−ｂ）を付加コンテンツ処理・記憶部２１に出力し、付加コンテンツ処理・記憶部２１中のＣｈａｎｇｅ＿Ｎａｍｅ．ｆｉｌｅ２１２−ｂと削除情報２１３−ｂに関するファイルを削除し、Ｏｌｄ＿Ｄａｔａ＿ｄｉｒｅｃｔｒｙ中のファイルを図１９に示されるＤａｔａ＿ｄｉｒｅｃｔｒｙに戻す。
【００６９】
なお、付加コンテンツ２１１−ａが付加コンテンツ処理・記憶部２１に入力された日付や時刻を削除情報２１３−ａに含めておき、付加コンテンツ２１１−ｂが付加コンテンツ処理・記憶部２１に入力された日付や時刻を削除情報２１３−ｂに含めておけば、図２０に示すように、操作画面に表示することができ、付加コンテンツ削除決定に便利である。
なお、図２０中のＳＳｃはＳＳａとＳＳｂを合計した値である。
【００７０】
付加コンテンツの取り込みが３回以上（更新が２回以上）の場合には、図２１および図２２に示すようにＯｌｄ＿Ｄａｔａ＿ｄｉｒｅｃｔｒｙの下に付加コンテンツの更新毎のフォルダを設け、それぞれのフォルダには更新のたびに使用されなくなったファイルを格納する。図２１は図１９で示す場合に更に付加コンテンツの更新が実行され、Ｃｈａｎｇｅ＿Ｎａｍｅ（Ｂ）．ｆｉｌｅとＡｂ．ｆｉｌｅ、Ａｄ．ｆｉｌｅ、ＢＴ．ｆｉｌｅ、ＢＯ．ｆｉｌｅ、Ｂａ．ｆｉｌｅ、Ｂｃ．ｆｉｌｅ、Ｂｅ．ｆｉｌｅが使用されなくなった場合を例示している。また、図２２は、４回の付加コンテンツの更新が実行された場合の付加コンテンツ処理・記憶部２１のディレクトリ構造を表している。図２２においては、Ｏｌｄ＿Ｄａｔａ＿ｄｉｒｅｃｔｒｙに属するファイル名は省略している。
【００７１】
図２１の場合において、１回目の付加コンテンツの再生が不要になった場合には、１回目の削除情報内容を削除実行情報として図１の付加コンテンツ処理・記憶部２１に出力し、図２１のＯｌｄ＿Ｄａｔａ＿ｄｉｒｅｃｔｒｙの下の符号ＦＡで示すフォルダ中の全ファイルと符号ＦＡで示すフォルダを削除する。このように動作することにより、再生装置１は２回目の付加コンテンツによる更新を行った状態での再生と３回目の付加コンテンツによる更新を行った状態での再生が可能な状態で、付加コンテンツ処理・記憶部２１の書き込み可能容量を増加させることができる。
【００７２】
同じく図２１の場合において２回目の付加コンテンツの再生が不要になった場合には、１回目と２回目双方の削除情報の内容を削除実行情報として図１の付加コンテンツ処理・記憶部２１に出力し、図２１のＯｌｄ＿Ｄａｔａ＿ｄｉｒｅｃｔｒｙの下の符号ＦＡで示すフォルダ及び符号ＦＢで示すフォルダ中の全ファイルと符号ＦＡで示すフォルダ及び符号ＦＢで示すフォルダを削除する。このように動作することにより、再生装置１は３回目の付加コンテンツによる更新を行った状態での再生が可能な状態で、付加コンテンツ処理・記憶部２１の書き込み可能容量を増加させることができる。
【００７３】
また、図２２の場合において３回目の付加コンテンツによる更新を行った状態での再生が不要になった場合には、１回目、２回目及び３回目の削除情報の内容を削除実行情報として図１の付加コンテンツ処理・記憶部２１に出力し、図２２のＯｌｄ＿Ｄａｔａ＿ｄｉｒｅｃｔｒｙの下のそれぞれ符号ＦＡ、ＦＢ、ＦＣで示すフォルダ中の全ファイルとそれぞれ符号ＦＡ、ＦＢ、ＦＣで示すフォルダを削除する。このように動作することにより、再生装置１は４回目の付加コンテンツによる更新を行った状態での再生と５回目の付加コンテンツによる更新を行った状態での再生とが可能な状態で、付加コンテンツ処理・記憶部２１の書き込み可能容量を増加させることができる。
【００７４】
以上のように、本実施の形態では、付加コンテンツのファイルが、視聴単位毎に、かつ更新回単位で、付加コンテンツ処理・記憶部２１から削除される。
【００７５】
本発明の実施の形態３は上記のように構成され、動作するので、１つの主コンテンツに対して付加コンテンツが更新される場合、視聴者が残しておきたいと思う特定の更新時以降の付加コンテンツ更新毎のコンテンツ再生状態を復元することが可能となる。また、実施の形態３は、実施の形態１、２と同じく、主コンテンツを再生し、あるいは再生可能状態にすることなく付加コンテンツを選択的に削除することができる効果をも有している。
【００７６】
実施の形態４．
実施の形態１乃至３では、付加コンテンツ処理・記憶部２１と削除情報処理・記憶部２３とが再生装置１の内部に構成される発明について説明した。実施の形態４では、付加コンテンツ処理・記憶部２１と削除情報処理・記憶部２３とが再生装置１の本体部分から分離可能な形態について図２３を用いて説明する。
【００７７】
図２３において、図１と同じあるいは同等の機能を有するものには図１と同一の符号を付す。図２３において鎖線で囲まれた部分が再生装置１の本体部分から分離される付加コンテンツ記憶装置３であり、付加コンテンツ記憶装置３を分離した残りの再生装置１の部分を再生装置本体部分４とする。
【００７８】
付加コンテンツ記憶装置３には、付加コンテンツ処理・記憶部２１と削除情報処理・記憶部２３が内蔵されている。付加コンテンツ記憶装置３は、入出力端子として、付加情報受信端３１と、Ｃｈａｎｇｅ＿Ｎａｍｅ．ｆｉｌｅ出力端３２と、付加コンテンツ出力端３３と、画像情報出力端３４と、削除制御情報受信端３５とを備えている。
一方、再生装置本体部分４は、付加情報送出端４１と、Ｃｈａｎｇｅ＿Ｎａｍｅ．ｆｉｌｅ入力端４２と、付加コンテンツ入力端４３と、画像情報入力端４４と、削除制御情報送出端４５とを備えている。
【００７９】
付加コンテンツ記憶装置３が再生装置本体部分４に装着されたとき、付加情報受信端３１は、付加情報送出端４１と接続され、Ｃｈａｎｇｅ＿Ｎａｍｅ．ｆｉｌｅ出力端３２は、Ｃｈａｎｇｅ＿Ｎａｍｅ．ｆｉｌｅ入力端４２と接続され、付加コンテンツ出力端３３は、再生装置本体部分４の付加コンテンツ入力端４３と接続され、画像情報出力端３４は、画像情報入力端４４と接続され、削除制御情報受信端３５は、削除制御情報送出端４５と接続される。
【００８０】
再生装置本体部分４の付加情報入力端２０から入力された付加コンテンツは付加情報送出端４１と付加情報受信端３１を介して付加コンテンツ記憶装置３の付加コンテンツ処理・記憶部２１に書き込まれる。
【００８１】
付加コンテンツ処理・記憶部２１に書き込まれたＣｈａｎｇｅ＿Ｎａｍｅ．ｆｉｌｅ２１２はＣｈａｎｇｅ＿Ｎａｍｅ．ｆｉｌｅ出力端３２とＣｈａｎｇｅ＿Ｎａｍｅ．ｆｉｌｅ入力端４２を介して再生装置本体部分４の選択制御部２２に出力される。
【００８２】
同じく、付加コンテンツ処理・記憶部２１に書き込まれた付加コンテンツ２１１は付加コンテンツ出力端３３と付加コンテンツ入力端４３を介して再生装置本体部分４の選択部１２に出力される。
【００８３】
付加コンテンツ記憶装置３の付加コンテンツ処理・記憶部２１は削除情報２１３を付加コンテンツ記憶装置３の削除情報処理・記憶部２３に出力する。また、再生装置本体部分４の削除制御入力端２４から入力された付加コンテンツの削除要求や削除範囲の決定や削除実施の決定などの情報は削除制御情報送出端４５と削除制御情報受信端３５を介して付加コンテンツ記憶装置３の削除情報処理・記憶部２３に入力される。
【００８４】
付加コンテンツ記憶装置３の削除情報処理・記憶部２３で作成された画像情報２３１は画像情報出力端３４と画像情報入力端４４を介して再生装置本体部分４のグラフィック出力部１６に出力される。
【００８５】
本発明の実施の形態４によれば、付加コンテンツ記憶装置３を、異なる再生装置本体部分部分に装着可能であり、一つの再生装置本体部分４を用いて、付加コンテンツ記憶装置３に入力し、当該付加コンテンツ記憶装置３を他の再生装置本体部分４に装着して、付加コンテンツの再生を行なうことが可能である。また、主コンテンツ１１１が記録されている媒体である光学ディスク１０と付加コンテンツ記憶装置３のみ持ち運べば、再生装置本体部分４を持ち運ぶことなく、主コンテンツと付加コンテンツを併せて再生することが可能になる。
【００８６】
実施の形態５．
実施の形態４では、付加コンテンツ記憶装置３と再生装置本体部分４との間の入出力端が複数存在する発明について説明した。実施の形態５では、図２４に示すように、付加コンテンツ記憶装置３に入出力部５１及び入出力端５３を設け、再生装置本体部分４に入出部５２及び入出力端５４を設ける。付加コンテンツ記憶装置３の入出力を入出力部５１でまとめて単一の入出力端５３から情報の入出力を行い、再生装置本体部分４の入出力を入出力部５２でまとめて単一の入出力端５４から情報の入出力を行なう。
入出力部５１と入出力部５２との間は時分割方式や位相キー方式などの通信手段を用いて接続する。
【００８７】
本発明の実施の形態５は上記のように構成されるので、付加コンテンツ記憶装置３と再生装置本体部分４との接続に使用するケーブルやコネクタの種類や数量を削減することができる。また、接続数が１つになることから、付加コンテンツ記憶装置３および再生装置本体部分４のいずれにおいても、部品や回路の配置および意匠に関して自由度が増し、小型化や軽量化を図ることが可能になる。
【００８８】
実施の形態６．
本発明の再生装置は、専用のハードウェアではなくソフトウエア（プログラムされたコンピュータ）よって実現することもできる。以下、そのような構成の例を説明する。図２５は、図１の付加コンテンツ処理・記憶部２１、選択制御部２２及び削除情報処理・記憶部２３の処理をソフトウェアで実施するための構成を示すブロック図であり、図１の付加コンテンツ処理・記憶部２１、選択制御部２２及び削除情報処理・記憶部２３の代わりに、入力部７１、ＣＰＵ７２、プログラムメモリ７３、及びデータメモリ７４を備える。データメモリ７４は、付加コンテンツ記憶領域７５、選択制御情報記憶領域７６、及び削除情報記憶領域７７を有する。入力部７１、ＣＰＵ７２、プログラムメモリ７３、及びデータメモリ７４はバス（アドレスバス及びデータバスを含む）７８により互いに接続されている。バス７８にはさらに、ドライブ１１から出力される主コンテンツ情報１１０を伝達する専用線、選択部１２へ付加コンテンツ２１１を伝達する専用線、選択部１２に選択制御信号２２１を伝達する専用線、グラフィック出力部１６に画面情報２３１を伝達する専用線が、それぞれ図示しないインタフェースを介して接続されている。
【００８９】
ＣＰＵ７２は、図１の付加コンテンツ処理部２１Ａ、選択制御処理部２２Ａ、及び削除情報処理部２３Ａの役割を持ち、付加コンテンツ記憶領域７５、選択制御情報記憶領域７６、及び削除情報記憶領域７７は、それぞれ図１の付加コンテンツ記憶部２１Ｂ、仮想ディレクトリ構造情報記憶部２２Ｂ及び削除情報記憶部２３Ｂと同じ役割を持つ。
【００９０】
実施の形態６の動作、特にＣＰＵ７２によるデータの処理及び付加コンテンツ記憶領域７５、選択制御情報記憶領域７６及び削除情報記憶領域７７へのデータの書き込み、読出しの動作について、図２５、図２６、図２７及び図２８を用いて説明する。なお、以下の説明、並びに図２６、図２７及び図２８において、実施の形態１および図１と同一あるいは相当する部分に関して同じ表記を用いている。また、実施の形態６における主コンテンツや付加コンテンツの構成および表記も実施の形態１と同じとする。
【００９１】
実施の形態６の処理は、付加コンテンツが付加情報入力端２０から入力されることから始まる（Ｓ１００）。最初に、ステップＳ１０１では、入力された付加コンテンツを付加コンテンツ記録領域７５に書き込み、ステップＳ１０２では、タイトル毎に当該タイトルに使用される再生ファイル、情報ファイル、ストリームファイルを抽出する。
ステップＳ１０３では、ステップＳ１０２で抽出されたファイルに基づき、各タイトルにおいて、当該タイトルのみに使用されている再生ファイル、情報ファイル、ストリームファイルのファイル名を抽出する。
【００９２】
ステップＳ１０４では、ステップＳ１０３で抽出されたファイル名のファイルの合計の大きさ（容量）を計算する。
ステップＳ１０５では、ステップＳ１０３で抽出されたファイル名とステップＳ１０４の計算結果（合計の大きさ）を削除情報記録領域７７に書き込み、ステップＪ１００に移行する。
【００９３】
ステップＪ１００では、付加コンテンツの削除要求（削除命令）の有無を判断し、削除要求が無ければステップＪ１０１に移行し、削除要求があればステップＳ１０６に移行する。
ステップＪ１０１では、削除要求以外の処理（コンテンツの再生などの処理）が存在すればこの削除処理を終了して他の命令の実行処理に移り、削除要求以外の処理が存在しなければステップＪ１００に移行して削除要求を待つ。
【００９４】
ステップＳ１０６では、ステップＳ１０５で書き込まれた情報を基に付加コンテンツの一部あるいは全部を削除するために使用する図１４に示すような操作画面を表示するための画像情報を作成し、ステップＳ１０７に移行する。
【００９５】
ステップＳ１０７では、ステップＳ１０６で生成された画像情報により操作画面を表示し、図２７のステップＩ１００に移行する。
ステップＩ１００において、視聴者が、操作画面を利用して、削除したい付加コンテンツの範囲を選択するのを待ち、選択操作が行なわれ、これを受け付けたら、ステップＳ１０８に移行する。
ステップＳ１０８では、入力された削除範囲を上記画像情報に反映させて、対応する操作画面を表示し、ステップＩ１０１において、再び視聴者が、上記画像情報による操作画面を利用して、削除実行の決定を示す操作を行なうのを待ち、削除実行の決定を示す操作が行なわれ、そのことを示す信号が入力されたらステップＳ１０９に移行する。
【００９６】
ステップＳ１０９では、削除情報記憶領域７７において削除される範囲のタイトルのみに使用されている再生ファイル、情報ファイル、ストリームファイルのファイル名を削除実行情報２３２として生成し、ステップＳ１１０に移行する。
ステップＳ１１０では、削除実行情報２３２に記述されたファイル名に対応するファイルを付加コンテンツ記憶領域７５から削除し、ステップＳ１１１に移行する。
【００９７】
ステップＳ１１１では、削除されるタイトルの再生手順プログラムを付加コンテンツ内のＯｐｅｒａｔｉｏｎ．ｆｉｌｅに相当するファイル（ＡＯ．ｆｉｌｅ）から削除し、ステップＪ１０２に移行する。
ステップＪ１０２では、付加コンテンツ記憶領域７５において、削除される対応するタイトルが主コンテンツに存在するか否かを判定し、存在すればステップＪ１０３に移行し、存在しなければステップＳ１１２に移行する。
ステップＳ１１２では、付加コンテンツ内のＴｉｔｌｅ＿ｌｉｓｔ．ｆｉｌｅに相当するファイル（ＡＴ．ｆｉｌｅ）から削除されるべきタイトルを削除し、ステップＪ１０３に移行する。
ステップＪ１０３では、削除されるべき全タイトルに対して以上の処理が終了したか否かを判断し、終了していればステップＳ１１３に移行し、終了していなければステップＳ１１０に戻って次のタイトルに対して処理を継続する。
ステップＳ１１３では、削除要求を取り消し、ステップＳ１０２に戻る。
【００９８】
以上で付加コンテンツに対する削除処理は完了するが、主コンテンツと削除が完了した付加コンテンツとを併せて再生する場合に、付加コンテンツに対する削除処理に伴う処理が発生する。この処理を図２８を用いて次に説明する。
【００９９】
実施の形態６において、主コンテンツの再生を開始する場合、図２８の処理を行なう。先ずステップＪ２００において、付加コンテンツ内のＴｉｔｌｅ＿ｌｉｓｔ．ｆｉｌｅに相当するファイル（ＡＴ．ｆｉｌｅ）に記述されたタイトル全てに対して、付加コンテンツ内のＯｐｅｒａｔｉｏｎ．ｆｉｌｅに相当するファイル（ＡＯ．ｆｉｌｅ）に対応するタイトルの再生手順プログラムが存在するか否かを判断し、全タイトル分の再生手順プログラムが存在していればステップＳ２０１に移行し、再生手順プログラムが存在しないタイトルがあればステップＳ２００に移行する。
【０１００】
ステップＳ２００では、付加コンテンツ内のＴｉｔｌｅ＿ｌｉｓｔ．ｆｉｌｅに相当するファイル（ＡＴ．ｆｉｌｅ）にはタイトルが存在するが付加コンテンツ内のＯｐｅｒａｔｉｏｎ．ｆｉｌｅに相当するファイル（ＡＯ．ｆｉｌｅ）内には当該タイトルのための再生手順プログラムが存在しない部分に対して、主コンテンツ内のＯｐｅｒａｔｉｏｎ．ｆｉｌｅの当該再生手順プログラムを付加コンテンツ内のＯｐｅｒａｔｉｏｎ．ｆｉｌｅに相当するファイル（ＡＴ．ｆｉｌｅ）に移植（コピー）し、ステップＳ２０１に移行する。
【０１０１】
ステップＳ２０１では、付加コンテンツと主コンテンツを使用して実施の形態１に関して説明したのと同様の仮想ディレクトリを構築し、ステップＳ２０２に移行する。
【０１０２】
ステップＳ２０２では、仮想ディレクトリ構造に基づき主コンテンツと付加コンテンツを併せて再生し、判断ステップＪ２０１に移行する。判断ステップＳ２０１では、再生が終了したか否かを判断し、再生が終了していれば本処理は終了し、再生が終了していなければステップＳ２０２に戻る。
【０１０３】
本発明の実施の形態６は上記のように動作するので、主コンテンツを再生し、あるいは再生可能状態にすることなく、ステップＳ１０７の画像情報を用いて付加コンテンツ２１１のファイルを削除することが可能になる。加えて、ステップＳ１０７の画像情報２３１に基づく操作画面の使用により、削除したい範囲を選択して削除することが可能になる。更に、ステップＳ１０７の画像情報による操作画面においては、付加コンテンツの一部あるいは全部を削除した場合の情報の大きさを表示することができる。このため、新たに別の付加コンテンツを付加コンテンツ記憶領域７５に書き込もうとして付加コンテンツ記憶領域７５の記憶できる情報の大きさが不足する場合に、削除する付加コンテンツの範囲を選択して削除することが可能となる。
【０１０４】
実施の形態７．
実施の形態７では、実施の形態６の「再生ファイル、情報ファイル、ストリームファイル」を対象にしている各処理に対して、代表静止画データファイルをも含めた処理を実行する手法である。実施の形態７の実施に用いられる再生装置は、図２５に示すのと同じブロック図で表される。以下、実施の形態７の動作、特にＣＰＵ７２によるデータの処理及び付加コンテンツ記憶領域７５、選択制御情報記憶領域７６、及び削除情報記憶領域７７へのデータの書き込み、読出しの動作について、図２９及び図３０を用いて説明する。図２９及び図３０は、図２６及び図２７と概して同じであるが、図２６のステップＳ１０２、Ｓ１０３、Ｓ１０６、Ｓ１０７が、それぞれステップＳ１５２、Ｓ１５３、Ｓ１５６、Ｓ１５７で置き換えられ、図２７のステップＳ１０９が、ステップＳ１５９に置き換えられている。
【０１０５】
ステップＳ１５２では、タイトル毎に当該タイトルに使用される再生ファイル、情報ファイル、及びストリームファイルのみならず代表静止画データファイルをも抽出する。
【０１０６】
ステップＳ１５３では、ステップＳ１５３で抽出されたファイルに基づき、各タイトルにおいて、当該タイトルのみに使用されている再生ファイル、情報ファイル、ストリームファイル、及び代表静止画データファイルのファイル名を抽出する。抽出結果はステップＳ１０４とステップＳ１０５で用いられる。
【０１０７】
ステップＳ１５６では、ステップＳ１０５で書き込まれた情報を基に付加コンテンツの一部あるいは全部を削除するために使用する図１５に示すような操作画面（画素が間引かれた（縮小された）代表静止画を子画面として含む操作画面）を表示するための画像情報を作成し、ステップＳ１５７に移行する。
ステップＳ１５７では、ステップＳ１５６で生成された、画像情報により代表静止画を含む操作画面を表示し、図２７のステップＩ１００に移行する。
【０１０８】
ステップＳ１５９では、削除情報記憶領域７７において削除される範囲のタイトルのみに使用されている再生ファイル、情報ファイル、ストリームファイル、及び代表静止画データファイルのファイル名を削除実行情報として生成する。
【０１０９】
本発明の実施の形態７では、上記のように処理を行なうので、削除する付加コンテンツのタイトルあるいは削除対象の光学ディスクに対する認識が容易確実となり、そのため、誤削除を防止する効果が期待できる。
【０１１０】
実施の形態８．
以下では、実施の形態８として、１つの主コンテンツに対して付加コンテンツが複数回入力されて、付加コンテンツの更新が行なわれる場合の処理を説明する。本実施の形態では、新たな付加コンテンツによる更新後に、更新以前の状態を復元して、コンテンツ再生を可能にすることができる。
【０１１１】
実施の形態８では、実施の形態６乃至７におけるステップＳ１１０、Ｓ１１１、Ｓ１１２にて削除を行なうに当たり、特定の付加コンテンツ更新時以前のものを削除の対象とすると共に、実施の形態６又は７における処理開始（図２６又は図２９のステップＳ１００）以降でステップＳ１０１に先立って図３１に示されるステップＳ３００，Ｊ３００、Ｓ３０１、Ｓ３０２の処理を実行することにより実現できる。
【０１１２】
ステップＳ３００では、既に付加コンテンツ記憶領域７５に書き込まれている付加コンテンツ中の最新のＣｈａｎｇｅ＿Ｎａｍｅ．ｆｉｌｅと新たに書き込まれる（新たに付加情報入力端２０から入力された）付加コンテンツ中のＣｈａｎｇｅ＿Ｎａｍｅ．ｆｉｌｅとを比較し、使用されなくなるファイルを抽出し、判断ステップＪ３００に移行する。
判断ステップＪ３００では、使用されなくなるファイルが存在するか否かを判断し、使用されなくなるファイルが存在すればステップＳ３０１に移行し、使用されなくなるファイルが存在しなければステップＳ１０１に移行する。
【０１１３】
ステップＳ３０１では、使用されなくなるファイルのファイル名とファイルの大きさ（容量）の合計をタイトル毎に削除情報記憶領域７７に書き込み、ステップＳ３０２に移行する。
ステップＳ３０２では、使用されなくなるファイルを付加コンテンツ記憶領域７５の別フォルダー（例えば、図１９、図２１、図２２のＯｌｄ＿Ｄａｔａ＿ｄｉｒｅｃｔｏｒｙ）に移動させ、ステップＳ１０１に移行する。
【０１１４】
本発明の実施の形態８は上記のように動作するので、１つの主コンテンツに対して付加コンテンツが更新される場合、視聴者が残しておきたいと思う特定の更新時以降の付加コンテンツ更新毎のコンテンツ再生状態を復元することが可能となる。また、実施の形態８も、実施の形態１〜７と同様に、主コンテンツを再生し、あるいは再生可能状態にすることなく付加コンテンツを選択的に削除することができる効果をも有している。
【０１１５】
以上のように、本発明によれば、主コンテンツに付加コンテンツを付加して再生することが容易に実現でき、付加コンテンツを視聴単位毎に削除することも容易であり、さらに、実施の形態３、８によれば、付加コンテンツの更新時における不要な情報の消去が容易に行なえる。従って、本発明に係る映像情報再生装置の各種記憶部あるいはデータメモリを繰り返し使用することができるため、当該装置の使用期間（年限）を長くすることが可能になり、環境負荷低減の効果もある。
【図面の簡単な説明】
【０１１６】
【図１】本発明の実施の形態１乃至３に係る再生装置の構成を示すブロック図である。
【図２】主コンテンツの一例における各タイトルの役割と各タイトルで再生される再生ファイルを示す図である。
【図３】図２の主コンテンツの進行（再生手順）の一例を示す図である。
【図４】主コンテンツのＴｉｔｌｅ．ｆｉｌｅの記載例を示す図である。
【図５】主コンテンツのＯｐｅｒａｔｉｏｎ．ｆｉｌｅの記載例を示す図である。
【図６】図２の１．ｆｉｌｅの例を示す図である。
【図７】図６の０００．ｉｎｆｏの例を示す図である。
【図８】実施の形態１及び２の再生装置で再生される主コンテンツの構成を示す図である。
【図９】図８の主コンテンツのディレクトリ構造を示す図である。
【図１０】再生装置に入力される付加コンテンツの構成を示す図である。
【図１１】実施の形態１及び２において、付加コンテンツ記憶部２１Ｂで生成される、付加コンテンツのディレクトリ構造を示す図である。
【図１２】主コンテンツのファイル及び付加コンテンツのファイルの選択による仮想ディレクトリ構造の生成を示す図である。
【図１３】削除情報を模式的に表す図である。
【図１４】実施の形態１において付加コンテンツの削除に用いられる操作画面を示す図である。
【図１５】実施の形態２において付加コンテンツの削除に用いられる操作画面を示す図である。
【図１６】実施の形態３の再生装置で再生される主コンテンツの構成を示す図である。
【図１７】実施の形態３において、再生装置に最初に入力される付加コンテンツの一例の構成を示す図である。
【図１８】実施の形態３において、再生装置に２回目に入力される付加コンテンツの一例の構成を示す図である。
【図１９】実施の形態３において、付加コンテンツ記憶部２１Ｂで生成される、付加コンテンツのディレクトリ構造の一例を示す図である。
【図２０】実施の形態３において付加コンテンツの削除に用いられる操作画面を示す図である。
【図２１】実施の形態３において、２回目の付加コンテンツの取り込み後に、付加コンテンツ記憶部２１Ｂで生成される、付加コンテンツのディレクトリ構造の一例を示す図である。
【図２２】実施の形態３において、５回目の付加コンテンツの取り込み後に、付加コンテンツ記憶部２１Ｂで生成される、付加コンテンツのディレクトリ構造の一例を示す図である。
【図２３】実施の形態４に係る再生装置の構成を示すブロック図である。
【図２４】実施の形態５に係る再生装置の構成を示すブロック図である。
【図２５】実施の形態６、７及び８に係る再生装置の構成を示すブロック図である。
【図２６】実施の形態６における仮想ディレクトリ構造の生成処理及び付加コンテンツ削除処理を示すフローチャートである。
【図２７】実施の形態６における仮想ディレクトリ構造の生成処理及び付加コンテンツ削除処理を示すフローチャートである。
【図２８】実施の形態６における再生処理を示すフローチャートである。
【図２９】実施の形態７における仮想ディレクトリ構造の生成処理及び付加コンテンツ削除処理を示すフローチャートである。
【図３０】実施の形態７における仮想ディレクトリ構造の生成処理及び付加コンテンツ削除処理を示すフローチャートである。
【図３１】実施の形態８における再生処理を示すフローチャートである。
【符号の説明】
【０１１７】
１  再生装置、  １１  ドライブ、  １２  選択部、  １３  分離部、  １５  映像出力部、  １６  グラフィック出力部、  １８  重畳部、  ２１  付加コンテンツ処理・記憶部、  ２２  選択制御部、  ２３  削除情報処理・記憶部、  ２７  表示装置。
【図１】
2010073250.tif 000003
【図２】
2010073250.tif 000004
【図３】
2010073250.tif 000005
【図４】
2010073250.tif 000006
【図５】
2010073250.tif 000007
【図６】
2010073250.tif 000008
【図７】
2010073250.tif 000009
【図８】
2010073250.tif 000010
【図９】
2010073250.tif 000011
【図１０】
2010073250.tif 000012
【図１１】
2010073250.tif 000013
【図１２】
2010073250.tif 000014
【図１３】
2010073250.tif 000015
【図１４】
2010073250.tif 000016
【図１５】
2010073250.tif 000017
【図１６】
2010073250.tif 000018
【図１７】
2010073250.tif 000019
【図１８】
2010073250.tif 000020
【図１９】
2010073250.tif 000021
【図２０】
2010073250.tif 000022
【図２１】
2010073250.tif 000023
【図２２】
2010073250.tif 000024
【図２３】
2010073250.tif 000025
【図２４】
2010073250.tif 000026
【図２５】
2010073250.tif 000027
【図２６】
2010073250.tif 000028
【図２７】
2010073250.tif 000029
【図２８】
2010073250.tif 000030
【図２９】
2010073250.tif 000031
【図３０】
2010073250.tif 000032
【図３１】
2010073250.tif 000033